(57)【特許請求の範囲】
【請求項１】
水平設置する必要のある土建用測量機器を支持する整準台において、定盤押上げ用コイルバネを定盤と基盤との間に複数個配置するとともに、３個の整準つまみを正三角形の頂点に対応する位置に配置し、整準つまみに夫々対応する基盤側に設けられた３箇所のネジ部に、整準つまみ下部のネジ部をねじ込み、整準つまみ下部と基盤とを支持固定し、整準つまみに夫々対応する３箇所の定盤切り欠き空間下部と夫々の整準つまみ頭部鍔下部とをコイルバネの反発力により接触させ、定盤と整準つまみ頭部とを支持させることにより、整準つまみを介し基盤と定盤とを支持固定し、整準つまみ頭頂部は定盤切り欠き空間上部に設けられた整準つまみ頭頂部受けに嵌る構造としたことを特徴とする測量器用整準台。
【発明の詳細な説明】
【０００１】
【発明の属する技術分野】
本発明は、管埋設装置により地盤を掘削して管（特に小口径管）を埋設する際の埋設方向の進路を監視、又は自動監視制御方式のセオドライト等の測量機器を支持してなる整準台に係り、特にそのがたつき防止に関する。
【０００２】
【従来の技術】
従来から地中に上下水道管や電線管などを埋設する手段として、地表から縦方向に掘削した立坑内に管埋設装置を設置し、この管埋設装置により地盤を掘削しながら後方から管を押圧することにより地中の水平方向に逐次管を埋設していく工法が採用されている。このような管埋設措置による管の埋設工法においては、立坑の上方に管の埋設方向を示す基準線（水糸による埋設計画線）を張り、この基準線を基に計画通りに管の埋設が行われているか否かを測量するようにしている。
【０００３】
その測量の際には、立坑内に整準台を設置し、その上に目視式セオドライトを支持し、上述した基準線からセオドライトの正規位置と推進方向の確認をするようになされている。この整準台の水平精度が少しでも狂えば、到達位置が遠くなればなるほど設定位置からずれることとなり、場合によっては工事のやり直しになることもある。
【０００４】
そして、従来の測量用セオドライトに使用されている整準台は図２に示したように、測量機器を載置する定盤７の基準位置出し用に３個の整準つまみ８を装備し、整準つまみ８の上端はネジ構造で定盤を支え、下端は円錐頭頂部で基盤９に支持され、板バネ１０で整準つまみ８下部の円錐頭頂部を押えて固定する構造になっている。
【０００５】
【発明が解決しようとする課題】
しかしながら、上記整準台は劣悪な環境下で使用される場合が多く、板バネ１０側の整準つまみ８下端円錐頭頂部の磨耗が激しく、材料のたわみを利用した板バネが許容できる抑え範囲長が狭いため、抑え長さが不足するようになり整準つまみ８のがたつきが早期に発生することとなる。また、板バネ１０抑える力も弱く、上記の磨耗による整準つまみ円錐頭頂部の縮長と相俟って、振動等で整準つまみネジ部のバックラッシュ（クリアランスに起因）により、がたつきが発生する。
【０００６】
その結果、基準出しが不明確になることや基準出し後、振動等による変位で、整準台定盤に支持された測量機器の精度に悪影響を及ぼすことがあった。
【０００７】
【課題を解決するための手段】
上記課題を解決する手段として本発明は、定盤押上げ用コイルバネを定盤と基盤との間に複数個配置するとともに、３個の整準つまみを正三角形の頂点に対応する位置に配置し、整準つまみに夫々対応する基盤側に設けられた３箇所のネジ部に、整準つまみ下部のネジ部をねじ込み、整準つまみ下部と基盤とを支持固定し、整準つまみに夫々対応する３箇所の定盤切り欠き空間下部と夫々の整準つまみ頭部鍔下部とをコイルバネの反発力により接触させ、定盤と整準つまみ頭部とを支持させることにより、整準つまみを介し基盤と定盤とを支持固定し、整準つまみ頭頂部は定盤切り欠き空間上部に設けられた整準つまみ頭頂部受けに嵌る構造としたことを特徴とする整準台にある。
【００１２】
こうすることにより、磨耗によるがたつきや整準つまみのネジ部バックラッシュも解消され、基準出しの不良や振動による変位を抑制することが長期にわたり可能となる。
【００１３】
【発明の実施の形態】
以下、本発明を図面に示す実施の形態を参照して説明する。
【００１４】
図１は本発明を実施するに用いる整準台の一実施形態を示すもので、例えば立坑内に設置された管埋設装置により地盤を水平方向に掘削しつつ後方から管を押圧して地中に推進埋設する際等に使用され、立坑底部上に水平設置する必要のあるセオドライト等の測量機器（図示せず）が定盤の支持部２ｄ上に支持される。尚、図１の（１−１）は本発明の整準台の側面図、（１−２）は（１−３）におけるＡ矢視断面図、（１−３）は（１−１）の平面図である。
【００１５】
この整準台１は、定盤２と基盤３との間に６個のコイルバネ５が配置されており、このバネにて定盤２が強制的に上方に押上げられる構造になっている。また、基盤３側に設けられた三箇所の雌ネジ部３ａに、夫々対応する三個の整準つまみ４の雄ネジ部４ｂがねじ込まれ、基盤３と整準つまみ雄ネジ部とが整準つまみを回転させることで上下動自在に固定されるようになっている。それと共に、コイルバネ５の反発力により３箇所の定盤切り欠き空間下部の整準つまみ頭部支持部２ｂと夫々の鍔部を有する整準つまみ頭部４ａの鍔下部とを接触させ、定盤２と整準つまみ頭部４ａとを支持するようになっている。こうして、上盤２と基盤３は三箇の整準つまみ４の上下部を介し、支持されることとなる。また、整準つまみ４の横ぶれ防止用に、整準つまみ頭頂部は、定盤切り欠き空間部上部に設けられた整準つまみ頭頂部受け２ｃに軽く嵌るようになっている。
【００１６】
このような構造とすることで、強力なコイルバネ５使用により整準つまみ４と定盤２との接触支持固定部が従来の板バネ式と同様に磨耗しても、たわみを利用した板バネに比し反発力及び反発長が格段に異なり大きいため、補修期間を大幅に伸ばすことができると共に、基盤３と整準つまみ４との雌雄ネジ部によるバックラッシュもコイルバネ５が常時強力に押上げているので防止できることとなる。
【００１７】
尚、一般には整準台と測量機器が一体化（図示せず）されているが、その操作は従来の板バネ式のものと同様に三個の整準つまみ４を回転操作して、定盤２を水平にすることにより測量機器が適正にセットされる。一体型でない場合は、まず三個の整準つまみ４を回転操作して、定盤２を水平に設定し、その後、定盤２のセオドライト等の測量機器を測量機器支持部２ｄに載置して基準出し等の作業を行う。
【００１８】
【発明の効果】
本発明は以上説明したように構成されているので次のような効果を奏することができる。
１）長期間補修の必要がない。
２）ネジ部によるバックラッシュが防止できる。
【図面の簡単な説明】
【図１】本発明の整準台の一実施形態を示し、（１−１）は側面図、（１−２）はＡ矢視断面図、（１−３）は平面図。
【図２】従来の整準台の説明図であり、（２−１）はＢ矢視断面図、（２−２）はＣ矢視断面図。
【符号の説明】
１    整準台
２    定盤
２ａ  切り欠き空間
２ｂ  整準つまみ頭部支持部
２ｃ  整準つまみ頭頂部受け
２ｄ  セオドライト支持部
３    基盤
３ａ  雌ネジ部
４    整準つまみ
４ａ  整準つまみ頭部
４ｂ  整準つまみ雄ネジ部
５    コイルバネ
７    定盤
８    整準つまみ
９    基盤
１０  板バネ
【図１】
0004333241.tif 000002
【図２】
0004333241.tif 000003